(57)【要約】【課題】送り先が異なる２つ以上の申込書紙片を含む複数紙片と封筒台紙とが一端で綴じ合わされた申込帳票とその使用方法を提供する。【解決手段】送り先が異なる２つ以上の申込書紙片を含む複数紙片と、封筒台紙とが一端で綴じ合わされた申込帳票であって、封筒台紙は、短辺に平行に形成された少なくとも２本の切取りミシンの１本を覆うように、封筒台紙の1部に接着剤で固定された粘着シートを有し、申込書紙片は、申込内容記載面を内側にして折り畳まれた時に、表出する面に受け取り人宛先情報が記載された申込帳票とこの使用方法を提供する。【選択図】  図１
2006007726.tif 000002
【特許請求の範囲】
【請求項１】
送り先が異なる２つ以上の申込書紙片を含む複数紙片と、封筒台紙とが一端で綴じ合わされた申込帳票であって、
封筒台紙は、短辺に平行に形成された少なくとも２本の切取りミシンの１本を覆うように、封筒台紙の1部に接着剤で固定された粘着シートを有し、
申込書紙片は、申込内容記載面を内側にして折り畳まれた時に、表出する面に受け取り人宛先情報が記載されたことを特徴とする申込帳票。
【請求項２】
請求項１に記載の申込帳票において、粘着シートは、保護紙（剥離紙）／粘着剤／透明基材で構成され、封筒台紙とは透明基材と接着剤で固定されていることを特徴とする申込帳票。
【請求項３】
請求項２に記載の申込帳票において、粘着剤は、透明性を有する再剥離を意図しない強粘着剤であることを特徴とする申込帳票。
【請求項４】
請求項２に記載の申込帳票において、粘着剤は、透明性を有する再剥離型粘着剤であることを特徴とする申込帳票。
【請求項５】
請求項１〜４何れか１項に記載の申込帳票の使用方法であって、
申込書紙片に申込内容を記載し、申込内容記載面を内側にして折り畳んで受け取り人宛先情報を表出し、封筒台紙の２本の切取りミシンで封筒台紙を分断し、粘着シートが接着された封筒台紙の粘着シートから保護紙を剥し、除去して封筒シートと成し、封筒シートの中央部で粘着剤が内側になるように２つに折り畳み、粘着剤と封筒台紙の間に前記折り畳まれた申込書紙片を封筒シートの透明基材から受け取り人宛先情報が表出するように挟み込み、粘着剤で封緘することを特徴とする申込帳票の使用方法。
【発明の詳細な説明】
【技術分野】
【０００１】
本発明は、申込帳票及びその使用方法に関し、詳しくは、送り先が異なる２つ以上の申込書紙片を含む複数紙片と封筒台紙とが一端で綴じ合わされた申込帳票とその使用方法に関する。
【背景技術】
【０００２】
近年、クレジットカード業界をはじめとするカード業界で、チラシ，入会申込書，封筒が一体となった「入会申込書付きチラシ」が多く利用されている。
これら「入会申込書付きチラシ」の多くは、入会申込書に記載されたカード会社が配布するようになっているが、例えば、ショッピングセンター等カード会社ではない団体、または、企業がクレジットカードを発行する場合がある。
上記のような場合、ショッピングセンターが募集して、ショッピングセンターとクレジットカード会社との提携カードを発行することになるため、「入会申込書付きチラシ」は、Ａカード，Ｂカード，Ｃカード等異なるカード会社の入会申込書が一体化された入会申込書となっている。
本来クレジットカード入会申込書は、顧客が選択したカード会社に直接送付されることが好ましいのであるが、入会申込書は、一旦、募集を行うショッピングセンターに送付される。このような形態を取る場合は、募集を行うショッピングセンターが中継業務を請け負っている。
募集を行ったショッピングセンターは、申込情報の把握ができるというメリットがあるが、申し込んだ者の個人情報がショッピングセンターに知られることになる。
個人情報保護の要求が高まりつつある昨今、ショッピングセンターが入会審査に関わる情報、例えば、年収，世帯構成，勤続先等の情報に接することは好ましい状態とはいえない。
【０００３】
前述ような背景から、提携カードの入会申込書を直接カード会社に送付したいというニーズが生じてきた。
このようなニーズに対して、例えば、封筒が綴じ合わされている申込書帳票があるが、すべてのカード会社ごとに封筒を内蔵させることになると、製造方法が難しく、そのために製造コストが高くなり実用的ではなかった。
【発明の開示】
【発明が解決しようとする課題】
【０００４】
そこで、本発明は、送り先が異なる２つ以上の申込書紙片を含む複数紙片と封筒台紙とが一端で綴じ合わされた申込帳票とその使用方法を提供する。
【課題を解決するための手段】
【０００５】
前記課題の目的を達成するために、本発明の申込帳票の請求項１に記載の発明は、送り先が異なる２つ以上の申込書紙片を含む複数紙片と、封筒台紙とが一端で綴じ合わされた申込帳票であって、封筒台紙は、短辺に平行に形成された少なくとも２本の切取りミシンの１本を覆うように、封筒台紙の1部に接着剤で固定された粘着シートを有し、申込書紙片は、申込内容記載面を内側にして折り畳まれた時に、表出する面に受け取り人宛先情報が記載されたことを特徴とするものである。
【０００６】
また、請求項２に記載の発明は、請求項１に記載の発明において、粘着シートは、保護紙（剥離紙）／粘着剤／透明基材で構成され、封筒台紙とは透明基材と接着剤で固定されていることを特徴とするものである。
【０００７】
また、請求項３に記載の発明は、請求項２に記載の発明において、粘着剤は、透明性を有する再剥離を意図しない強粘着剤であることを特徴とするものである。
【０００８】
また、請求項４に記載の発明は、請求項２に記載の発明において、粘着剤は、透明性を有する再剥離型粘着剤であることを特徴とするものである。
【０００９】
また、請求項５に記載の発明の申込帳票の使用方法は、請求項１〜４何れか１項に記載の申込帳票の使用方法であって、申込書紙片に申込内容を記載し、申込内容記載面を内側にして折り畳んで受け取り人宛先情報を表出し、封筒台紙の２本の切取りミシンで封筒台紙を分断し、粘着シートが接着された封筒台紙の粘着シートから保護紙を剥し、除去して封筒シートと成し、封筒シートの中央部で粘着剤が内側になるように２つに折り畳み、粘着剤と封筒台紙の間に前記折り畳まれた申込書紙片を封筒シートの透明基材から受け取り人宛先情報が表出するように挟み込み、粘着剤で封緘することを特徴とするものである。
【発明の効果】
【００１０】
本発明の申込帳票及びその使用方法によって、
１）申込書に貼付された封筒台紙によって容易に封筒を組立てることができ、また、封入される申込書に受け取り人宛先情報が記載（印刷）されているため申込をする者が送付先を記載する必要がなく、その結果、記入ミスが発生しないために申込書が正しく送り先に送付される。
２）連続フォームに帯状の粘着シートを連続的に接着するだけで済むために、封筒台紙の製造コスト安くすることができ、その結果、申込帳票を安く提供することができる。
【発明を実施するための最良の形態】
【００１１】
以下、図面を参照して本発明の申込帳票及びその使用方法について説明する。
図１は、本発明の申込帳票の構成について説明するための図，図２は、封筒台紙について説明するための図，図３は、図２のＡ−Ａ線断面図，図４は、封筒台紙の使用方法について説明するための図，図５は、申込書紙片を封筒シートに封入封緘する方法について説明するための図である。
【００１２】
図１を参照して、本発明の申込帳票の構成について説明する。
申込帳票１は、封筒台紙１０，送り先が異なる２つ以上（本実施の形態では２種類）の申込書紙片１２，１３と、その他紙片１４が、図１の左端、切取りミシンと、各紙片の左端の間で綴じ合わされている。
その他紙片１４は、２種類の申込書紙片の記入に関する説明や、申込帳票を提供する団体，企業の宣伝文を掲載するためのもので、多くはチラシのような役割を果たしている。
したがって、以下の説明では、「その他紙片１４」を「チラシ紙片１４」という。
図示しないが、綴じ部は、線状，点状に形成された糊や、細い針金によって綴じられている。
封筒台紙の天地サイズは、申込書紙片を折り畳んで封入する必要があるために、少なくとも糊代分を合わせた分だけ申込書紙片１２，１３より大きめになっている。
図では、チラシ紙片１４は、申込書紙片１２，１３の天地サイズと同一サイズなっているが、製造装置の都合で封筒台紙と同一サイズにしてもよい。
【００１３】
チラシ紙片１４には、前述のように、内側に綴じられている異なるカード会社等の申込書紙片１２，１３の使用方法や、この申込帳票１を取り扱っているショッピングセンター等の宣伝文章などが印刷によって記載されている。
【００１４】
申込書紙片１２，１３には、切り離された紙片を４等分する位置に筋押しまたは、印刷による折り位置マークが形成されている。
また、図示しないが、申込書紙片１２，１３の申込内容記載欄の裏面には、それぞれの申込書が送付される受け取り人宛先情報が印刷されている。
申込書紙片１２，１３は、前述のように４つに折り畳まれた状態で、片方の表出面には前記受け取り人宛先情報が印刷され、もう片方の表出面には、差出人の氏名、住所等差出人情報を記載する欄が設けてある。
【００１５】
図２を参照して、封筒台紙について説明する。
封筒台紙１０は、本実施の形態では、３つの紙片１０５，１０６，１０７で構成され、それぞれの紙片の境界には切取りミシン１０１，１０２が形成されている。
また、粘着シート１１が封筒台紙の紙片１０６の右端部分に形成された接着剤１０４によって固定され、形成されている。
接着剤１０４の近傍には紙片１０６，１０７を切り離すための切取りミシン１０２が形成されている。
【００１６】
封筒台紙１０の紙片１０６には、紙片１０６を折り畳み易いように筋押し部、または、折りミシン（以下の説明では筋押し部という。）１０３が形成される。筋押し部１０３は、紙片１０６と粘着シート１１のセンターに形成される。
筋押し部１０３を形成しない場合は、折り曲げ部であることを示す折り位置マークと、この部分で内側に折ることを指示する一文を印刷する。
【００１７】
図３を参照して、図２のＡ−Ａ線断面について説明する。
図３は、粘着シート１１が形成された封筒台紙１０の断面図である。
封筒台紙１０の片面に、粘着シート１１が接着剤１０４によって固定されている。
接着剤１０４の左側（図２の紙片１０６側）には、筋押し部１０３，切取りミシン１０１が形成されている。
また、接着剤１０４の右側（図２の紙片１０７側）には、切取りミシン１０２が形成されている。
粘着シート１１と封筒台紙１０は、粘着シートを構成する透明基材１１３側で接着され、透明基材１１３の逆側は、透明な粘着剤１１２が形成され、粘着剤のもう一方の面は保護紙（剥離紙）１１１で保護されている。また、保護紙の粘着剤と接触する面には剥離剤が塗布されている。
【００１８】
図３を参照して粘着シート１１の材料について説明する。
まず、保護紙１１の材料として、例えば、上質紙，グラシン紙，コート紙，アート紙，模造紙などから選択して使用する。
保護紙１１１は、粘着剤１１２を保護するためだけのものであり、薄くてコストが安い材質が選択される。
また、透明基材１１３は、透明なプラスチックフィルム，グラシン紙，油紙など、透明性を有する材料から選択される。透明基材１１３は、封筒になった時に、内側に同封された申込書紙片の受け取り人宛先情報を読取ることができる材料であればよい。保護紙に塗布される剥離剤（図示せず）は、粘着剤１１２の粘着力に合わせて選択される。
【００１９】
粘着剤１１２は、再剥離を意図しない強粘着型の粘着剤、または、再剥離型の粘着剤の何れかのタイプから選択する。
封筒シートは、申込書紙片を挟んだ状態で送付されるが、受け取ったものが開封し易いものでなければならない。
一方で、封筒シートは、送付途中で剥がれてしまってはいけない。
そのために、粘着剤１１２は、封筒台紙の糊代の幅や、申込書紙片の紙の厚さなどを勘案して決定される。保護紙に塗布される剥離剤（図示せず）は、粘着剤の粘着力に合わせて選択される。
【００２０】
粘着シートは、上述の条件を満たした市販の材料を使用する。
【００２１】
図４を参照して、封筒台紙の使用方法について説明する。
ａ図は、図３で説明した封筒台紙１０の断面図である。
ａ図に示すように、紙片１０５，１０６，１０７の境界には、切取りミシン１０１，１０２が形成されており、紙片１０６には粘着シート１１が接着剤１０４によって固定されている。
ｂ図に示すように、切取りミシン１０１によって、紙片１０６を紙片１０５から切り離す。
さらに、紙片１０６と、紙片１０７を切取りミシン１０２によって切り離す。
粘着シート１１から、保護紙１１１を引き剥がす。
ｂ図の作業の結果、ｃ図に示すような封筒シート１００となる。
封筒シート１００は、紙片１０６，紙片１０６に接着された透明基材１１３，保護紙１１１が剥ぎ取られて露出した粘着剤１１２の構成となる。
ｃ図に示す封筒シート１００の透明基材１１３を、筋押し部１０３で左に巻き込むように折り畳む。
ｂ図の保護紙を粘着シート１１から引き剥がすタイミングは、正しい位置（紙片１０６と粘着シートのセンター位置）で折り畳まれたことが確認された後でもよいし、後述する、申込書紙片を封筒シートに挟む直前（ｇ図）でもよい。
ｄ図は、封筒シート１００が正しく折り畳まれた状態を示している。
【００２２】
図５を参照して、申込書紙片を封筒シートに封入封緘する方法について説明する。
ｅ図に示すように申込書紙片１２を切取りミシン部１２１で切り離し、申込書に必要事項を記載し、筋押し部１２４で記載面を内側にして折り畳み、さらに筋押し部１２３を折り畳み、ｆ図の状態にする。
ｆ図の状態から、さらに筋押し部１２２を折り畳み、ｇ図に示すように受け取り人宛先情報１２０を表出する。もう一方の表出面に差出人情報を記載して、封筒シート１００に挟んで封緘するとｈ図のようになる。
ｈ図に示すように封筒シート１００の透明基材から受け取り人宛先情報１２０が透視して読むことができるようになっている。
【００２３】
図５のｈ図で判るように、申込書紙片の受け取り人宛先情報１２０が記載された紙片は、封筒シートの粘着剤で全面接着されるために、強粘着型の粘着剤が選択された場合は、カード会社などで開封された状態では、前記申込書紙片の受け取り人宛先情報１２０が記載された紙片は、透明基材から切り離せるようになっていると都合がよい。
この場合、ｅ図に示す申込書紙片１２の、筋押し部１２２は、切取りミシンとする。
また、申込書紙片の申込内容記載欄の、受け取り人宛先情報１２０の裏面は、ｅ図に示すように説明文記載欄とする。
【産業上の利用可能性】
【００２４】
本発明の申込帳票は、チラシ紙片と複数の申込書紙片とが綴じ合わされた申込帳票に利用できる。
【図面の簡単な説明】
【００２５】
【図１】本発明の申込帳票の構成について説明するための図である。
【図２】封筒台紙について説明するための図である。
【図３】図２のＡ−Ａ線断面図である。
【図４】封筒台紙の使用方法について説明するための図である。
【図５】申込書紙片を封筒シートに封入封緘する方法について説明するための図である。
【符号の説明】
【００２６】
１      申込帳票
１０    封筒台紙
１１    粘着シート
１２，１３  申込書紙片
１４    その他紙片（チラシ紙片）
１００  封筒シート
１０１，１０２，１２１  切取りミシン
１０３，１２２，１２３，１２４  筋押し部（折りミシン）
１０４  接着剤
１０５，１０６，１０７  封筒台紙の紙片
１１１  保護紙（剥離紙）
１１２  粘着剤
１１３  透明基材
１２０  受け取り人宛先情報
【図１】
2006007726.tif 000003
【図２】
2006007726.tif 000004
【図３】
2006007726.tif 000005
【図４】
2006007726.tif 000006
【図５】
2006007726.tif 000007